(57)【要約】【課題】見栄えを損なわずに、側壁外面に雨だれが生じるのを抑制する。【解決手段】側壁外面の側方に取り付けられた軒樋と、前記軒樋と前記側壁外面との間において前記側壁外面に固定され、自らの表面に付着した雨水を流下させる水切り部と、前記軒樋と前記側壁外面との間で前記軒樋側に張り出すように前記水切り部の下部に設けられ、前記水切り部からの雨水を前記側壁外面から離れた位置に誘導する張出部と、を備える。【選択図】図１
2014133988.tif 000002
【特許請求の範囲】
【請求項１】
側壁外面の側方に取り付けられた軒樋と、
前記軒樋と前記側壁外面との間において前記側壁外面に固定され、自らの表面に付着した雨水を流下させる水切り部と、
前記軒樋と前記側壁外面との間で前記軒樋側に張り出すように前記水切り部の下部に設けられ、前記水切り部からの雨水を前記側壁外面から離れた位置に誘導する張出部と、
を備える軒構造。
【請求項２】
前記水切り部は、陸屋根上面と前記側壁外面とに接する葺き材を介して前記側壁外面に固定され、
前記葺き材と連続するように前記水切り部の上部から前記軒樋側へ前記軒樋の上方で張り出し、前記葺き材からの雨水を前記側壁外面から離れた位置に誘導する庇部
を備える請求項１に記載の軒構造。
【請求項３】
前記軒樋の真上で下方へ延び出るように前記庇部の先端部に設けられ、前記庇部からの雨水を前記軒樋内へ誘導する延出部
を備える請求項１又は２に記載の軒構造。
【請求項４】
前記側壁外面から離れた位置で下方へ延び出るように前記張出部の先端部に設けられ、前記張出部からの雨水を下方へ誘導する延出部
を備える請求項１〜３のいずれか１項に記載の軒構造。
【請求項５】
前記張出部の先端部は、前記張出部を伝った雨水が前記軒樋の外壁に接触可能に、前記軒樋の外壁に対して近接又は接触している請求項１〜４のいずれか１項に記載の軒構造。
【請求項６】
前記張出部は、前記側壁外面に形成された段差部分を被覆する請求項１〜５のいずれか１項に記載の軒構造。
【発明の詳細な説明】
【技術分野】
【０００１】
本発明は、軒構造に関する。
【背景技術】
【０００２】
特許文献１には、軒樋の下方に化粧部材を取り付けた構成が開示されている。この化粧部材の上端部には、軒樋の裏側に回りこんだ雨水を水切りする水切り部が形成されている。
【先行技術文献】
【特許文献】
【０００３】
【特許文献１】実開平７−６３５５号公報
【発明の概要】
【発明が解決しようとする課題】
【０００４】
しかしながら、特許文献１の構成では、軒樋の下方に化粧部材を取り付けるため、化粧部材が露出し見栄えが悪かった。
【０００５】
本発明は、上記事実を考慮し、見栄えを損なわずに、側壁外面に雨だれが生じるのを抑制することを課題とする。
【課題を解決するための手段】
【０００６】
請求項１に記載の軒構造は、側壁外面の側方に取り付けられた軒樋と、前記軒樋と前記側壁外面との間において前記側壁外面に固定され、自らの表面に付着した雨水を流下させる水切り部と、前記軒樋と前記側壁外面との間で前記軒樋側に張り出すように前記水切り部の下部に設けられ、前記水切り部からの雨水を前記側壁外面から離れた位置に誘導する張出部と、を備える。
【０００７】
この構成によれば、例えば、軒樋内に落下して側壁外面側へ跳ねた雨水は、水切り部の表面に付着する。水切り部の表面に付着した雨水は、水切り部の表面を伝って流下する。
【０００８】
ここで、水切り部の表面を伝って流下した雨水は、水切り部の下部に設けられた張出部を伝って、側壁外面から離れた位置に誘導される。これにより、側壁外面に雨だれが生じるのを抑制できる。また、この張出部は、軒樋と側壁外面との間で張り出すので、軒樋で隠され、見栄えを損なわない。
【０００９】
したがって、請求項１の構成によれば、見栄えを損なわずに、側壁外面に雨だれが生じるのを抑制できる。
【００１０】
請求項２に記載の軒構造は、前記水切り部は、陸屋根上面と前記側壁外面とに接する葺き材を介して前記側壁外面に固定され、前記葺き材と連続するように前記水切り部の上部から前記軒樋側へ前記軒樋の上方で張り出し、前記葺き材からの雨水を前記側壁外面から離れた位置に誘導する庇部を備える。
【００１１】
この構成によれば、葺き材に付着した雨水は、葺き材と連続する庇部を伝って、側壁外面から離れた位置に誘導される。このため、側壁外面に雨だれが生じるのを効果的に抑制できる。
【００１２】
請求項３に記載の軒構造は、前記軒樋の真上で下方へ延び出るように前記庇部の先端部に設けられ、前記庇部からの雨水を前記軒樋内へ誘導する延出部を備える。
【００１３】
この構成によれば、庇部を伝って側壁外面から離れた位置に誘導された雨水は、延出部を伝って下方へ落下し、軒樋内へ誘導される。これにより、雨水を効率的に軒樋内に誘導できる。
【００１４】
請求項４に記載の軒構造は、前記側壁外面から離れた位置で下方へ延び出るように前記張出部の先端部に設けられ、前記張出部からの雨水を下方へ誘導する延出部を備える。
【００１５】
この構成によれば、張出部を伝った雨水は、延出部を伝って、側壁外面から離れた位置で下方へ誘導される。すなわち、延出部によって、側壁外面から離れた位置で雨水が自重で落下するように雨水を効果的に誘導できる。これにより、側壁外面に雨だれが生じるのを効果的に抑制できる。
【００１６】
請求項５に記載の軒構造は、前記張出部の先端部は、前記張出部を伝った雨水が前記軒樋の外壁に接触可能に、前記軒樋の外壁に対して近接又は接触している。
【００１７】
この構成によれば、張出部を伝った雨水は、軒樋の外壁を伝って、側壁外面から離れた位置で下方へ誘導させる。すなわち、軒樋の外壁によって、側壁外面から離れた位置で雨水が落下するように雨水を効果的に誘導できる。これにより、側壁外面に雨だれが生じるのを効果的に抑制できる。
【００１８】
請求項６に記載の軒構造は、前記張出部は、前記側壁外面に形成された段差部分を被覆する。
【００１９】
この構成によれば、側壁外面に形成された段差部分が張出部で被覆されるので、軒構造の見栄えを損なわない。
【発明の効果】
【００２０】
請求項１の構成によれば、見栄えを損なわずに、側壁外面に雨だれが生じるのを抑制できる。
【００２１】
請求項２の構成によれば、庇部によって、雨水を側壁外面から離れた位置に誘導することで、側壁外面に雨だれが生じるのを効果的に抑制できる。
【００２２】
請求項３の構成によれば、延出部によって、庇側からの雨水を軒樋内へ誘導することで、雨水を効率的に軒樋内に誘導できる。
【００２３】
請求項４の構成によれば、延出部によって、側壁外面から離れた位置で雨水が自重で落下するように雨水を誘導することで、側壁外面に雨だれが生じるのを効果的に抑制できる。
【００２４】
請求項５の構成によれば、軒樋の外壁によって、側壁外面から離れた位置で雨水が落下するように雨水を誘導することで、側壁外面に雨だれが生じるのを効果的に抑制できる。
【００２５】
請求項６の構成によれば、側壁外面に形成された段差部分を張出部で被覆することで、軒構造の見栄えを損なわない。
【図面の簡単な説明】
【００２６】
【図１】本実施形態に係る軒構造の構成を示す側断面図である。
【図２】本実施形態に係る軒構造の一部構成を示す斜視図である。
【図３】雨水の経路を示す側断面図である。
【図４】変形例に係る軒構造の構成を示す側断面図である。
【発明を実施するための形態】
【００２７】
以下に、本発明に係る実施形態の一例を図面に基づき説明する。
【００２８】
（軒構造の構成）
まず、軒構造の構成を説明する。図１は、軒構造の構成を示す側断面図である。なお、図中の実線の矢印Ｆ方向を前方とし、図中の実線の矢印Ｒ方向を後方として説明する。
【００２９】
軒構造１０は、図１に示されるように、陸屋根１０２における軒構造である。ここで、陸屋根１０２を備える建物１００の構成を説明する。
【００３０】
建物１００は、陸屋根１０２の他に、側壁１０４と、陸屋根上面１０２Ａと側壁外面１０４Ａとに接する葺き材１０６と、を備えている。側壁１０４の側壁外面１０４Ａには、段差部分１０４Ｂが形成されている。この段差部分１０４Ｂは、側壁１０４の下部が、側壁１０４の上部に対して前側（外側）に張り出すことで形成されている。
【００３１】
葺き材１０６は、例えば、断面視Ｌ字状に形成された金属板で構成されている。葺き材１０６は、具体的には、陸屋根上面１０２Ａに固定される上板１０６Ａと、側壁外面１０４Ａに固定される側板１０６Ａとを有している。側板１０６Ａの下部１０６Ｃは、内側（側壁１０４側）に折り返されている。
【００３２】
なお、葺き材１０６と陸屋根上面１０２Ａとの間から、葺き材１０６と側壁外面１０４Ａとの間へかけて、ブチルテープ１０８が貼られている。
【００３３】
また、軒構造１０は、側壁外面１０４Ａの側方に取り付けられた軒樋２０と、軒樋２０と側壁外面１０４Ａとの間に設けられた水切り部材４０と、備えている。
【００３４】
軒樋２０は、上方が開口する断面視コの字状に形成されている。すなわち、軒樋２０は、底壁２２と、底壁２２の後端部（側壁外面１０４Ａ側の端部）から立設された後壁（側壁）２４と、底壁２２の前端部（側壁外面１０４Ａ側とは反対側の端部）から立設された前壁（側壁）２６と、を有している。このように、軒樋２０の外壁は、底壁２２、後壁２４、前壁２６で構成されている。軒樋２０は、図１における紙面前後方向に長さを有している（図２参照）。
【００３５】
軒樋２０を側壁外面１０４Ａの側方に取り付けるための取付部材としてのブラケット３０が、側壁外面１０４Ａに固定されている。ブラケット３０は、軒樋２０の長手方向に点在するように複数配置されている。
【００３６】
ブラケット３０は、具体的には、前方向（Ｆ方向）に延びる本体３２と、本体３２の後端部に設けられビス１１０によって側壁外面１０４Ａに固定される固定部３８と、を有している。本体３２の後端部には、軒樋２０の後壁２４の上部を保持する保持部３４が、固定部３８の下側に設けられている。本体３２の前端部には、軒樋２０の前壁２６を保持する保持部３６が設けられている。
【００３７】
ブラケット３０の保持部３４及び保持部３６が、それぞれ、軒樋２０の後壁２４及び前壁２６を保持することにより、軒樋２０が側壁外面１０４Ａの側方に取り付けるようになっている。
【００３８】
水切り部材４０は、図１における紙面前後方向に長さを有している（図２参照）。また、水切り部４２は、断面視にて略Ｌ字形状をした板材で形成されている。具体的には、水切り部材４０は、軒樋２０と側壁外面１０４Ａとの間において側壁外面１０４Ａに固定された水切り部４２と、水切り部４２の上部から前方側（軒樋２０側）に張り出す庇部４４と、を有している。
【００３９】
庇部４４は、軒樋２０の上方で軒樋２０の一部を覆っている。具体的には、庇部４４は、水切り部４２と一体に構成されており、水切り部４２の上端部から斜め下方へ張り出している。
【００４０】
また、庇部４４の後端部（庇部４４と水切り部４２とで構成される角部）４４Ａは、葺き材１０６と連続している。これにより、庇部４４は、その上面で、葺き材１０６を流下した（下方へ流れた）雨水を、側壁外面１０４Ａから離れた位置に誘導する機能を有する。
【００４１】
なお、庇部４４の後端部４４Ａと葺き材１０６との間には、シーリング材１１２が塗布されている。
【００４２】
庇部４４の前端部（先端部）には、軒樋２０の真上で下方へ延び出た延出部４６が設けられている。延出部４６は、庇部４４によって、側壁外面１０４Ａから離れるように誘導された雨水を下方へ落下させて軒樋２０内に誘導する機能を有している。
【００４３】
水切り部４２は、葺き材１０６を介して側壁外面１０４Ａに固定されている。これにより、水切り部４２は、側壁外面１０４Ａを覆って、自らの表面４２Ａに付着した雨水を流下させるようになっている。
【００４４】
水切り部４２の下部（下端部）には、軒樋２０と側壁外面１０４Ａとの間で前方側（軒樋２０側）に張り出す張出部４８が設けられている。張出部４８は、具体的には、水切り部４２と一体に構成されており、水切り部４２の下端部から斜め下方へ張り出している。これにより、張出部４８は、水切り部４２からの雨水を側壁外面１０４Ａから離れた位置に誘導する機能を有している。
【００４５】
張出部４８の前端部（先端部）には、側壁外面１０４Ａから離れた位置で下方へ延び出た延出部４９が、張出部４８と一体に設けられている。これにより、延出部４９は、張出部４８からの雨水を下方へ誘導する機能を有している。
【００４６】
この延出部４９は、張出部４８の前端部（先端部）と共に、軒樋２０の後壁２４に対して接触しており、張出部４８を伝った雨水が軒樋２０の後壁２４に接触可能となっている。
【００４７】
さらに、延出部４９は、張出部４８と共に、側壁外面１０４Ａに形成された段差部分１０４Ｂを被覆している。具体的には、延出部４９は、段差部分１０４Ｂの前側に配置されている。また、張出部４８は、段差部分１０４Ｂ（上を向く面）の上側であって前方側に配置されている。すなわち、張出部４８は、段差部分１０４Ｂ（上を向く面）の斜め上方に配置されている。
【００４８】
（本実施形態に係る作用）
次に、本実施形態に係る作用を説明する。
【００４９】
図３に示されるように、軒構造１０によれば、葺き材１０６の上板１０６Ａ及び側板１０６Ｂに付着した雨水は、破線矢印Ａ及び破線矢印Ｂのように、葺き材１０６の側板１０６Ｂを伝って流下する。側板１０６Ｂを伝って流下した雨水は、破線矢印Ｃに示されるように、葺き材１０６と連続する庇部４４を伝って、側壁外面１０４Ａから離れるように誘導される。さらに、庇部４４を伝って側壁外面１０４Ａから離れるように誘導された雨水は、破線矢印Ｄに示されるように、延出部４６を伝って下方へ落下し、軒樋２０へ誘導される。
【００５０】
このように、葺き材１０６に付着した雨水は、庇部４４によって、側壁外面１０４Ａから離れるように誘導され、延出部４６によって、側壁外面１０４Ａから離れた位置で下方へ落下されて軒樋２０へ誘導される。このため、側壁外面１０４Ａに雨だれが生じるのを抑制できる。
【００５１】
ここで、延出部４６を伝って下方へ落下した雨水の一部が、二点鎖線矢印Ｅに示されるように、水切り部４２側へ跳ね返る場合がある。また、軒樋２０の前壁２６の上端と庇部４４の前端部との間を通過して、軒樋２０内に入り込んだ雨水の一部が、二点鎖線矢印Ｆに示されるように、水切り部４２側へ跳ね返る場合がある。このように水切り部４２側へ跳ね返った雨水は、水切り部４２の表面４２Ａに付着する。
【００５２】
また、延出部４６を伝って下方へ落下した雨水の一部が、破線矢印Ｇに示されるように、庇部４４の下面を伝って水切り部４２側へ回り込み、水切り部４２の表面４２Ａに付着する場合もありうる。この現象は、特に、風が強いなどの環境条件下、延出部４６が短く設定されている場合や、庇部４４の傾斜が小さく設定されている場合などの構成条件下で発生しやすい。
【００５３】
さらに、一点鎖線矢印Ｈで示されるように、雨水が直接吹き込んで水切り部４２の表面４２Ａに付着する場合もありうる。この現象は、特に、風が強いなどの環境条件下、軒樋２０の前壁２６が低く設定されている場合などの構成条件下で発生しやすい。
【００５４】
このように、水切り部４２の表面４２Ａに付着した雨水は、実線矢印Ｉで示されるように、水切り部４２の表面４２Ａを伝って流下する。
【００５５】
そして、本実施形態では、水切り部４２の表面４２Ａを伝って流下した雨水は、実線矢印Ｊで示されるように、水切り部４２の下端部から軒樋２０側に張り出した張出部４８を伝って、側壁外面１０４Ａから離れた位置に誘導される。これにより、側壁外面１０４Ａに雨だれが生じるのを抑制できる。
【００５６】
さらに、張出部４８を伝った雨水は、実線矢印Ｋで示されるように、軒樋２０の後壁２４に接触し、その後壁２４と延出部４９との間で後壁２４及び延出部４９を伝って、側壁外面１０４Ａから離れた位置で下方へ誘導される。そして、雨水は、側壁外面１０４Ａから離れた位置で自重で落下する。これにより、側壁外面１０４Ａに雨だれが生じるのを効果的に抑制できる。
【００５７】
また、本実施形態では、張出部４８及び延出部４９は、軒樋２０と側壁外面１０４Ａとの間で軒樋２０により隠されるので、軒構造の見栄えを損なわない。また、側壁外面１０４Ａに形成された段差部分１０４Ｂが張出部４８で被覆されるので、軒構造の見栄えを損なわない。
【００５８】
このように、本実施形態の構成によれば、見栄えを損なわずに、側壁外面１０４Ａに雨だれが生じるのを抑制できる。
【００５９】
（変形例）
前述の軒構造１０では、張出部４８の前端部及び延出部４９が軒樋２０の後壁２４に接触していたが、当該後壁２４に接触せずに、張出部４８を伝った雨水が後壁２４に接触可能に近接している構成であってもよい。また、張出部４８の前端部及び延出部４９が軒樋２０の後壁２４に接触せずに、雨水が延出部４９のみを伝って落下する構成であってもよい。
【００６０】
また、前述の水切り部材４０では、水切り部４２、庇部４４と、延出部４６、張出部４８、及び延出部４９を有していたが、少なくとも水切り部４２及び張出部４８を有していればよく、庇部４４と、延出部４６及び延出部４９のうちの１又は複数を有さない構成であってもよい。
【００６１】
さらに、前述の水切り部材４０では、水切り部４２、庇部４４と、延出部４６、張出部４８、及び延出部４９は一体で構成されていたが、水切り部材４０は、少なくとも水切り部４２を有していればよく、庇部４４と、延出部４６、張出部４８、及び延出部４９が別部材で構成されていてもよい。例えば、図４に示されるように、水切り部材４０は、水切り部４２、張出部４８、及び延出部４９を有し、庇部４４及び延出部４６が水切り部材４０と別部材で構成するようにすることができる。
【００６２】
本発明は、上記の実施形態に限るものではなく、種々の変形、変更、改良が可能である。例えば、上記に示した変形例は、適宜、複数を組み合わせて構成しても良い。
【符号の説明】
【００６３】
１０   軒構造
２０   軒樋
４２   水切り部
４４   庇部
４６   延出部
４８   張出部
４９   延出部
１０２Ａ      陸屋根上面
１０４Ａ      側壁外面
１０４Ｂ      段差部分
１０６ 葺き材
【図１】
2014133988.tif 000003
【図２】
2014133988.tif 000004
【図３】
2014133988.tif 000005
【図４】
2014133988.tif 000006